(57)【要約】本発明は、各ピクセルがパルス幅変調された駆動パルス（Ｂ）により駆動される該ピクセルのマトリクスを有する表示装置、好適にはエレクトロルミネッセント表示装置に関する。この装置は、ガンマ補正情報が別個のパルス分布変調された信号（ＰＤＭ）の形で供給されるガンマ補正装置により駆動パルスの幅が制御されることを特徴とする。本発明は更に、このような表示装置におけるガンマ補正方法に関する。
2004537762.tif 000002
【特許請求の範囲】
【請求項１】
それぞれのピクセルがパルス幅変調された駆動パルスにより駆動される該ピクセルのマトリクスを有する表示装置用のガンマ補正方法であって、
パルス分布変調された信号を生成するステップであって、パルス分布が予め決められたガンマ補正情報に依存するステップと、
各ピクセルに関して実際のグレーレベル情報を入力信号から得るステップと、
前記駆動パルスのガンマ補正された特定の幅を得るために前記グレーレベル情報を前記パルス分布変調された信号に基づくカウンタ情報と比較するステップと、
を含む方法。
【請求項２】
前記パルス分布変調された信号をパルスカウンタに入力するステップと、
前記実際のグレーレベル情報をグレーレベルレジスタに入力するステップと、を更に含み、
前記グレーレベルレジスタ及び前記パルスカウンタが、同じビットサイズをもつとともに比較器に接続され、前記比較器の出力が、前記ピクセルに対する前記駆動パルスを制御するためのスイッチに結合される、請求項１に記載の方法。
【請求項３】
前記パルス分布変調された信号を生成するステップが更に、
それぞれのガンマレジスタが複数のガンマレベル比較器の各々の第１の入力部に接続される複数の該ガンマレジスタに、前記パルス分布変調された信号に関するタイミング分布情報値を記憶するステップと、
クロックカウンタからのカウンタ値を各ガンマレベル比較器の第２の入力部に入力するステップと、
前記複数のガンマレジスタのうち或るガンマレジスタに記憶された値が前記入力されたクロックカウンタ値に等しいとき、前記複数のガンマレベル比較器のいずれかから信号パルスを出力するステップと、
論理和素子において、前記出力された信号パルスを合成してパルス分布変調された信号にするステップと、
を含む請求項１に記載の方法。
【請求項４】
前記クロックカウンタ及び各ガンマレジスタが、前記パルスカウンタ又は前記比較器より多くの数のビットを含む、請求項３に記載の方法。
【請求項５】
それぞれの表示ピクセルがパルス幅変調された駆動パルスにより駆動される該表示ピクセルのマトリクスを有する、好適にはエレクトロルミネッセント表示装置である表示装置であって、
前記駆動パルスの幅が、予め決められたガンマ補正情報に依存する別個のパルス分布変調された信号を使用してガンマ補正装置により制御されることを特徴とする表示装置。
【請求項６】
前記ガンマ補正装置が第１のブロック及び第２のブロックを有し、前記第１のブロックが前記パルス分布変調された信号を生成するための手段を有し、前記第２のブロックが前記駆動パルスを生成するための手段を有し、前記パルス分布変調された信号が前記第１のブロックから前記第２のブロックに入力される、請求項５に記載の表示装置。
【請求項７】
前記第１のブロックが、前記パルス分布変調された信号に関するタイミング分布情報値を記憶できる複数のガンマレジスタを有し、各ガンマレジスタが、複数のガンマレベル比較器の各々の第１の入力部に接続され、クロックカウンタからのカウンタ値が、各ガンマレベル比較器の第２の入力部に入力され、前記複数のガンマレジスタのうち或るガンマレジスタに記憶された値が前記入力されたクロックカウンタ値に等しいとき、前記複数のガンマレベル比較器のいずれかから信号パルスが出力され、そののち、前記出力された信号パルスが論理和素子に入力され、そこで合成され前記第１のブロックの出力である前記パルス分布変調された信号になる、請求項６に記載の表示装置。
【請求項８】
前記第２のブロックが、
前記第１のブロックから前記パルス分布変調された信号が入力されるパルスカウンタと、
表示されるべきグレーレベルが入力されるグレーレベルレジスタと、
前記パルスカウンタ及び前記グレーレベルレジスタの出力が入力される比較器と、を有し、
前記グレーレベルレジスタ及び前記パルスカウンタが同じビットサイズをもち、前記比較器の出力が、前記ピクセルに対する前記駆動パルスを制御するためのスイッチに結合される、請求項６に記載の表示装置。
【請求項９】
前記比較器の出力が、セットリセットフリップフロップを通して前記スイッチに結合され、前記セットリセットフリップフロップが各ライン期間毎にリセットされる、請求項８に記載の表示装置。
【発明の詳細な説明】
【技術分野】
【０００１】
本発明は、それぞれのピクセルがパルス幅変調された駆動パルスにより駆動される該ピクセルのマトリクスを有する表示装置用のガンマ補正方法に関する。
【０００２】
本発明は更に、それぞれの表示ピクセルがパルス幅変調された駆動パルスにより駆動される該表示ピクセルのマトリクスを有する表示装置、好適にはエレクトロルミネッセント表示装置に関する。
【背景技術】
【０００３】
上述の種類のディスプレイは例えば欧州特許出願第０４５７４４０号明細書から知られている。
【０００４】
今日、異なるいくつかのタイプのディスプレイが市場に出ている。上述したような他のディスプレイ技術が急速に増えているとしても、非常に一般的な表示装置はなお陰極線管（ＣＲＴ）である。しかしながら、ＣＲＴディスプレイにおける段階的な光の強度（すなわちグレースケール）の知覚は、ディスプレイから発する光の量と線形に比例しない。それゆえ既存のＣＲＴディスプレイでは、この影響が考慮に入れられている。非線形輝度出力／電気入力関数をもつこれらのタイプのディスプレイがなお非常に一般的であるので、大部分のビデオ信号ソースは、それらがこのようなディスプレイ上に表示されるものと仮定している。従って、信号はいわゆるガンマ前補正（gamma pre-correction）をもつ。
【０００５】
しかしながら、双方とも冒頭部分で述べた種類のものである高分子発光ダイオード（polymer light-emitting diode；ＰＬＥＤ）ディスプレイ又は有機発光ダイオード（ＯＬＥＤ）ディスプレイのような最近開発されたいくつかのディスプレイ技術においては供給電流と放出光との間の関係はほぼ線形である。ガンマ補正された性能を含めるために追加の方策、すなわち信号が表示される前に上述のガンマ前補正を補正することが必要とされる。これが考慮されない場合、表示されたピクチャはより柔らかな（ぼんやりした）外観をもつ。それゆえディスプレイを人間の目の感度曲線に最適に適応させる必要がある。
【０００６】
米国特許第６１３７５４２号明細書に記述されているようなガンマ補正に関する従来技術によれば、ガンマ補正は、駆動エレクトロニクスチップ上に含まれるメモリ回路を使用することによって実現されることができる。このメモリには、各カラー輝度ごとの値を記憶するために使用されうるガンマルックアップテーブルが記憶されることができ、それらの値はガンマ関数形式に関して補正される。従って、入力信号は、メモリに記憶された情報を利用することによってガンマ補正された入力信号に変換されることができる。しかしながら、従来技術に関する問題は、上述のメモリが非常に大きくなければならず、それゆえチップの大きい領域を占めるということである。更にこの解決策は、各ライン毎にメモリを更新するために高いデータレートを必要とし、それゆえ通信バスにおける通信に重く負荷をかけ、更に消費電力を増加させる。
【発明の開示】
【発明が解決しようとする課題】
【０００７】
本発明の目的は、従来技術に関する上述の問題を回避するガンマ補正方法及び表示装置を提供することである。
【課題を解決するための手段】
【０００８】
本発明は独立項によって規定される。従属項は有利な実施形態を規定する。
【０００９】
これら及び他の目的は、パルス分布変調された信号(pulse distribution-modulated signal;ＰＤＭ)を生成するステップであって、パルス分布が予め決められたガンマ補正情報に依存するステップと、各ピクセルに関して実際のグレーレベル情報を入力信号から得るステップと、駆動パルスのガンマ補正された特定の幅を得るために前記グレーレベル情報を前記パルス分布変調された信号に基づくカウンタ情報と比較するステップとを更に含む冒頭の段落に記述したような方法により達成される。そうすることによって、ガンマ情報は別個の信号として供給され、所望の幅の駆動パルスを供給するために所望のグレーレベルの値と比較される。ガンマ情報は分離されており、パルス分布変調された信号として更に供給されるので、この情報は、ガンマ補正回路にほぼ永久的にロードされることができ、それによって急ぎの更新及び重いバス通信を回避することができる。
【００１０】
更に、この方法は、パルス分布変調された信号をパルスカウンタに入力するステップと、実際のグレーレベル情報をグレーレベルレジスタに入力するステップとを更に含み、グレーレベルレジスタ及びパルスカウンタは、同じビットサイズをもつとともに比較器に接続され、比較器の出力は、ピクセルに対する駆動パルスを制御するためのスイッチに結合される。そうすることによって、例えば多数のビットを含むパルス幅変調された信号は、より少ないビットをもつカウンタ値によって表わされることができ、それによってパルス幅変調された信号におけるパルスのタイミングが、カウンタ値の変化に変えられる。従って、駆動パルスを生成する比較器より大きい分解能をもつタイミングで、異なる持続時間をもつ駆動パルスが容易に達成されることができる。従来技術の解決策と比較して、本発明の方法は、メモリ及び構成要素のサイズの縮小を実現する。
【００１１】
更に、パルス分布変調された信号を生成するステップは、各ガンマレジスタが複数のガンマレベル比較器の各々の第１の入力部に接続される複数の前記ガンマレジスタに、パルス分布変調された信号に関するタイミング分布情報値を記憶するステップと、各ガンマレベル比較器の第２の入力部に、クロックカウンタからのカウンタ値を入力するステップと、複数のガンマレジスタのうち或るガンマレジスタに記憶された値が入力されたクロックカウンタ値に等しいとき、ガンマレベル比較器のいずれかから信号パルスを出力するステップと、論理和（ＯＲ）素子において、出力された信号パルスを合成してパルス分布変調された信号にするステップとを含むことが好ましい。これは、本発明のパルス分布変調された信号を生成する容易なやり方であり、チップ上にかなり小さいメモリ領域があればよい。更に、これらは、表示装置の駆動中、一定であるので、ガンマレジスタにはガンマ補正情報が一度ロードされるだけでよい。
【００１２】
本発明の好ましい実施例によれば、クロックカウンタ及び各ガンマレジスタは、パルスカウンタ又はグレーレベル比較器より多くの数のビットを含む。セルラ式電話のディスプレイの応用例に適した構成は、例えばＮ＝１６グレーレベルである。この実施例において、ガンマレジスタは例えば８ビットを有することができ、パルスカウンタ及びグレーレベル比較器は、２ｕ＝１６グレーレベルに対応する４ビットを含むことができる。
【００１３】
ディスプレイは、適切には高分子発光ダイオードディスプレイ又は有機発光ダイオードディスプレイであり、この方法は、完全デジタルのガンマ補正装置において実現されることが好ましく、それにより生産の拡がりの影響を受けない。更に、レジスタのうち少なくとも１つはプログラム可能であり、結果的に柔軟な解決策をもたらす。
【００１４】
本発明の目的は更に、請求項５に規定されるような表示装置により達成される。前記駆動パルスの幅は、予め決められたガンマ補正情報に依存する別個のパルス分布変調された信号（ＰＤＭ）を使用してガンマ補正装置により制御される。ガンマ情報は分離されており、パルス分布変調された信号として供給されるので、この情報は、ガンマ補正回路にほぼ永久的にロードされることができ、それによって急ぎの更新及び重いバス通信を回避することができる。
【００１５】
ガンマ補正装置は、第１及び第２のブロックを有し、第１のブロック１は、パルス分布変調された信号を生成するための手段を有し、第２のブロック２は、駆動パルスを生成するための手段を有し、パルス分布変調された信号は、第１のブロックから第２のブロックへ入力される。ガンマ補正装置を２つの個々の部分に分けることにより、第１のブロックにガンマ情報を予めロードすることが可能であり、そののちこの情報は変化せず、速い処理及び大きいメモリ領域の必要を軽減することができる。
【００１６】
第１のブロックは、ガンマ補正パルス分布変調された信号に関するタイミング分布情報値が記憶できる複数のガンマレジスタを適切に有することができ、それぞれのレジスタは、複数のガンマレベル比較器の各々の第１の入力部に接続され、クロックカウンタからのカウンタ値は、各ガンマレベル比較器の第２の入力部に入力される。前記複数のガンマレジスタのうち或るガンマレジスタに記憶された値が入力されたクロックカウンタ値に等しいとき、前記ガンマレベル比較器のいずれかから信号パルスが出力され、そののち出力された信号パルスはＯＲ素子に入力され、そこで合成されて前記第１のブロックの出力である前記パルス分布変調された信号になる。これは、本発明のパルス分布変調された信号を生成する容易なやり方であり、チップ上に相対的に小さいメモリ領域があればよい。更に、ガンマレジスタにはガンマ補正情報が一度ロードされればよい。これらは、表示装置の駆動中、一定だからである。これは、ディスプレイのすべてのピクセル又は列について１つの共通の第１のブロックを使用することを可能にする。
【００１７】
第２のブロックは、第１のブロックからガンマ補正パルス分布変調された信号が入力されるパルスカウンタと、表示されるべきグレーレベルが入力されるグレーレベルレジスタと、パルスカウンタ及びグレーレベルレジスタの出力が入力される比較器とを適切に有することができ、グレーレベルレジスタ及びパルスカウンタは同じビットサイズをもち、比較器の出力は、前記ピクセルへの電力供給を制御するためのスイッチに（直接に又はセット／リセットのフリップフロップを介して）結合される。そうすることによって、例えば多数のビットを含むパルス幅変調された信号は、より少ないビットをもつカウンタ値により表わされることができ、それによってパルス幅変調された信号におけるパルスのタイミングは、カウンタ値の変化に変えられる。従って、駆動パルスを生成する比較器より大きい分解能もつタイミングで、異なる持続時間をもつ駆動パルスが容易に達成されることができる。従来技術の解決策と比較して、本発明の方法は、メモリ及び構成要素のサイズの縮小を実現する。
【００１８】
最後に、ディスプレイは、高分子発光ダイオードディスプレイ又は有機発光ダイオードディスプレイであることが好ましく、ガンマ補正装置は、生産の拡がりに影響されないシステムを達成するために完全にデジタルである。好適には、レジスタの少なくとも１つはプログラム可能であり、それゆえ柔軟な解決策をもたらす。
【発明を実施するための最良の形態】
【００１９】
本発明のこれら及び他の見地は添付の図面を参照することにより明白であり説明される。
【００２０】
本発明は、ＰＬＥＤ又はＯＬＥＤディスプレイのような単調（monotonic）表示装置用のガンマ補正回路に関する。例えば、ＰＬＥＤディスプレイは、表示領域全体を共に形成する複数の列電極Ｃ０、Ｃ１．．．ＣＮ及び行電極を有する。行電極と列電極とのそれぞれの交差部は、ディスプレイのピクセルを規定する。エレクトロルミネッセント材料、ここでは発光ポリマーが行と列との間に配される。
【００２１】
しかしながら、図１において１つの列Ｃ０だけが示されている。上述したような回路はディスプレイのすべての列について同一である。
【００２２】
それぞれの列は、列を駆動するための電流源Ｉと直列に接続され、接続部は、電流が列Ｃ０を流れることを許される閉位置と、列Ｃ０への電流が遮断される開位置との間のスイッチングを行うためのスイッチＳを備える。スイッチＳの閉位置では、電流が発光ポリマー材料の層を流れ、それによって発光ポリマー材料から光が発せられる。スイッチＳの開位置では、その列Ｃ０又はピクセルから光は発せられない。
【００２３】
本発明によれば、スイッチＳがガンマ補正装置に接続される。
【００２４】
本発明によるガンマ補正装置の第１の実施例が図１に概略的に示されている。この実施例は、例えば１６レベル（すなわち４ビット）のグレースケール及び２次のガンマ補正をもつモバイルアプリケーションで利用されることができる。この実現例は、第１及び第２のブロック１及び２をそれぞれ有し、ここで第１のブロック１は、補正記憶ブロックであり、第２のブロック２は、グレーレベル比較ブロックである。ディスプレイの各列Ｃ０、Ｃ１...ＣＮについて別個の第２のブロック２が必要とされる一方、第１のブロック１は、すべての列又は列のグループについて共通であってよい。この例において、１つの共通の第１のブロック１がすべての列について使用される。従って、１個の第１のブロック１及びＮ＋１個の第２のブロック２を有するディスプレイ用駆動チップが製造されうる。ここでＮ＋１は表示装置の列の総数である。
【００２５】
図示される例において、第１の補正記憶ブロック１は、１６個のガンマ補正記憶レジスタＧＡＭＭＡＲＥＧ００−ＧＡＭＭＡＲＥＧ１５を有する。これらの各レジスタは８ビットレジスタである。これらのレジスタには所望のガンマ補正情報がロードされることが可能であり、それらは一度だけロードされるだけでよい。各レジスタＧＡＭＭＡＲＥＧ００−ＧＡＭＭＡＲＥＧ１５の出力は、１６個のガンマレベル比較器ＧＡＭＭＡＬＣ００−ＧＡＭＭＡＬＣ１５の各々の入力部に接続される。ガンマレベル比較器ＧＡＭＭＡＬＣ００−ＧＡＭＭＡＬＣ１５の第２の入力部は、８ビットクロックカウンタＣＬＫＣＮＴの出力部に接続される。このクロックカウンタＣＬＫＣＮＴはクロックパルスＣＬによってクロックされる。このケースではどのライン期間も２５６クロックパルスを含む。ブロック１において、クロックカウンタ値を、１６個のガンマ補正記憶レジスタＧＡＭＭＡＲＥＧ００−ＧＡＭＭＡＲＥＧ１５に記憶されたそれぞれの値と比較することによって、それぞれのガンマレベル比較器ＧＡＭＭＡＬＣ００−ＧＡＭＭＡＬＣ１５は、クロックカウンタ値が当該比較器ＧＡＭＭＡＬＣ００−ＧＡＭＭＡＬＣ１５に接続されたレジスタに記憶された値に等しいとき、パルスを出力する。従って、ライン時間全体で、合計１６個のパルスがガンマレベル比較器ＧＡＭＭＡＬＣ００−ＧＡＭＭＡＬＣ１５によって生成され、ライン時間にわたるこれらのパルスのタイミング及び分布は、ガンマ補正記憶レジスタＧＡＭＭＡＲＥＧ００−ＧＡＭＭＡＲＥＧ１５に記憶された正確な値によって決定される。第１のパルスは、時間ｔ０に第１のガンマレベル比較器から生成され、時間ｔ１に次のものが生成される等である。
【００２６】
前記ガンマレベル比較器ＧＡＭＭＡＬＣ００−ＧＡＭＭＡＬＣ１５の出力のすべては、生成されたパルスを合成する論理和（ＯＲ）ゲートＯＲに接続され、その結果、論理和ゲートＯＲから出力信号が供給される。この出力信号は、変調されたパルス分布及び元のクロック信号ＣＬに関して低減された平均周波数（ここでは１６ｘ）をもつ特別な制御信号ＰＤＭである。上述の構造において、プリセットされるガンマ補正記憶レジスタＧＡＭＭＡＲＥＧ００−ＧＡＭＭＡＲＥＧ１５によって表わされるようなガンマ補正情報は、１６個のパルス（各レジスタにつき１パルス）を含むタイミングがとられた信号に変換され、この信号は、タイミング分布による全８ビットのタイミング分解能をもつ。
【００２７】
パルス分布変調された制御信号（pulse distribution modulated control signal;ＰＤＭ）は、そののち４ビットカウンタである第２のパルスカウンタＣＮＴ２に入力される。このパルスカウンタＣＮＴ２は、ディスプレイの列Ｃ０、Ｃ１...ＣＮの各々に接続されているそれぞれの第２のブロック２に接続される。従って第２のパルスカウンタＣＮＴ２から出力されたカウンタ値は、それぞれの第２のブロック２に入力される。この例において、４ビットのパルスカウンタは、ライン時間あたり１フルカウント（０−１５）を数える。これは、パルス分布変調された制御信号ＰＤＭがライン時間あたり１６個のパルスを有するという事実による。
【００２８】
それぞれの第２のブロック２は、更に、第２のブロック２が接続される列におけるピクセルの表示されるべきグレーレベルを含む４ビットのグレーレベルレジスタＧＬＲＥＧ０を有する。例えば、このレジスタＧＬＲＥＧ０は、どのようなグレースケールが特定のライン時間中に列におけるピクセルについて望まれているかに依存して、図２に示すデータの１つを含むことができる。このレジスタＧＬＲＥＧ０は、それ自体知られている態様で入力接続部（Ｄ）を通してライン毎に更新される。図２のテーブルにおいて、列ＧＳＬは可能なグレースケール値を含む。図２の列ＢＤは、グレーレベルレジスタＧＬＲＥＧ０の出力に存在しうるような対応する二進値を示す。
【００２９】
グレーレベルレジスタＧＬＲＥＧ０からの出力は、そののち、上述のパルスカウンタＣＮＴ２からの出力と共にグレーレベル比較器ＧＲＥＹＬＣに入力され、双方の出力とも４ビットをもつ。そののち、この比較器の出力は、セット／リセットフリップフロップＳＲＦＦに入力され、セット／リセットフリップフロップＳＲＦＦは、電流が列を流れることを許される閉位置と列への電流が遮断される開位置との間のスイッチング動作を実現するように、上述のスイッチＳに接続される。
【００３０】
パルスカウンタＣＮＴ２とグレーレベルレジスタＧＬＲＥＧ０との値を比較する際、グレーレベルレジスタＧＬＲＥＧ０の値がパルスカウンタＣＮＴ２の値を越える限り、高い信号がセット／リセットフリップフロップＳＲＦＦから出力され、それによりスイッチＳを閉位置に保つ（電流がディスプレイを流れる）。パルスカウンタの値がグレーレベルレジスタＧＬＲＥＧ０の値を越えるか又はそれに等しいとき、セット／リセットフリップフロップＳＲＦＦは低い信号へと転じて、スイッチＳを開く（電流はディスプレイを流れない）。新しいラインの開始時、セット／リセットフリップフロップＳＲＦＦは、高い信号の状態に戻される。
【００３１】
図３及び図４は一例を示す。このケースでは所望のグレースケールは４であり、すなわちグレーレベルレジスタＧＬＲＥＧＯの値は図２に従って０１００である。図３において分かるように、ガンマレジスタＧＡＭＭＡＲＥＧ００−ＧＡＭＭＡＲＥＧ１５にプリセットされた値に従って、制御信号ＰＤＭの第１のパルスが時間ｔ０に生成され、次のパルスが時間ｔ１に生成され、というように続く。第２のパルスカウンタＣＮＴ２は、ｔ０、ｔ１等に生成されたパルスを受け取り、第１のブロック１から受け取られる各パルス毎に信号に１を加算し、すなわち、時間ｔ０まで００００を出力し、時間ｔ２まで０００１を出力する等である。図４のテーブルは上述の例に関連する値を示す。列ＧＬＲＥＧ０は、グレーレベルレジスタＧＬＲＥＧ０に存在する値を示す。列ＣＮＴ２は、第２のパルスカウンタＣＮＴ２によって出力される次の値を示す。列ＧＲＥＹＬＣは、結果的に生成されるグレーレベル比較器の出力を示す。最後に、列ＳＲＦＦは、セットリセットフリップフロップＳＲＦＦの出力を示す。出力が「１」である場合、スイッチＳは閉じ、出力が「０」である場合、スイッチＳは開く。時間ｔ４に、第５のパルスが第２のカウンタＣＮＴ２に達し、それによって０１００が出力される。これは、グレーレベルレジスタＧＬＲＥＧ０に記憶された所望のグレースケール値に等しい。この時間ｔ４に、グレーレベル比較器ＧＲＥＹＬＣの出力は「１」から「０」に切り替わる。その結果、フリップフロップＳＲＦＦの出力は「０」になり、次のラインを開始するまでゼロのままである。時間ｔ５に、第２のカウンタＣＮＴ２の出力がグレーレベルレジスタＧＬＲＥＧ０におけるグレーレベル値を越えると、グレーレベル比較器ＧＲＥＹＬＣの出力は「１」に戻る。従って、その時間に、フリップフロップＳＲＦＦはスイッチＳに信号を送り、ピクセルに対する駆動パルスＢが現在のラインについて終了される。それによって図３から分かるように、駆動パルスＢの長さＴはＴ＝ｔ４として確立される。長さＴは、ガンマレジスタＧＬＲＥＧＯに記憶される値を適切に選択することにより調節されることができる。わずか４ビットの分解能が第２のブロック２において使用されるとしても、それぞれのライン時間は２５６個のタイムスロットを含むので、これもまた、駆動パルスＢの長さＴに関する分解能である。
【００３２】
例
従来技術においてはグレーレベルを制御するためにパルス幅変調を使用するため、ガンマ補正の簡単で直接的な実現例は、ライン毎に列ドライバを更新するために大きいメモリ及び大きいデータ転送を必要とする。一般的なセルラ式電話の応用例では、１６レベルのグレースケール（すなわち４ビット）及び２次のガンマ補正は、ライン毎に２５６＝２８クロックパルスを必要とする。６０Ｈｚのフレームレートでディスプレイの１０２個の平行な列ドライバ及び６５個の行をアドレッシングするには以下が必要である。
メモリ：      １０２ｘ６５ｘ８ビット＝５３ｋビット
データレート：６０ｘ６５ｘ１０２ｘ８ビット＝３．２Ｍビット／秒
クロック周波数：６０ｘ６５ｘ２５６＝１ＭＨｚ
このメモリは、大きいチップ領域を必要し、高いデータレートがバス通信に重く負荷をかけ、高いクロック周波数が消費電力を増加させる。
【００３３】
しかしながら、上述した本発明によるシステムの場合、以下を必要とする。
メモリ：１６ｘ８  ｂｉｔ＋１０２ｘ６５ｘ４ビット＝２６．６ｋビット
データレート：６０ｘ６５ｘ１０２ｘ４ビット＝１．６Ｍビット／秒
クロック周波数：６０ｘ６５ｘ１６＝６２ｋＨｚ
従って、本発明のこの例では、メモリチップ領域及びデータレートが双方とも半分にされ、制御信号ＰＤＭの１６倍低い周波数が低い電力消費を確実にする。完全にデジタルの実現例のため、システムは生産の拡がりの影響を受けない。更に、前記回路においてプログラム可能なレジスタを利用することにより充分な柔軟性が得られる。
【００３４】
カウンタ及びセット／リセットフリップフロップの適当な初期化が必要であるが、これは既知のやり方で行われても良く、従って説明もせず図面にも示していない。
【００３５】
本発明の上述の実現例は、ＰＬＥＤ及びＯＬＥＤディスプレイに関して記述されているが、本発明は、入力電気信号と出力輝度信号との間に本質的に線形の関係、ほぼ線形の関係又は非線形関係のような単調な関係をもつ他のタイプのディスプレイにおけるガンマ補正のために使用されることができる。このようなディスプレイの例はプラズマディスプレイである。
【００３６】
本発明は、電流駆動のシステムにおける適用を主に意図しているが、本発明の理念は、電圧駆動の出力段を最適化するために実現されてもよい。
【００３７】
本発明の上述の実施例はデジタル的に理念を実現する１つのやり方にすぎず、この設計の多くのバリエーションが当業者により考えられるであろうことにも留意すべきである。
【００３８】
更に、本発明の上述の実施例は駆動されるディスプレイの列を開示しているが、本発明がディスプレイの駆動される列に適用されるか又は駆動される行に適用されるかは重要でないことに留意すべきである。
【００３９】
要約すると、本発明は、入力電気信号と出力輝度信号との間に単調な関係をもつとともに表示ピクセルのマトリクスを有し、各ピクセルが駆動パルスの幅に依存する強度によりピクセルを明るくするための手段に接続されている表示装置、好適にはエレクトロルミネッセント表示装置に関する。この装置は、ガンマ補正情報が別個のパルス分布変調された信号の形で供給されるガンマ補正装置によって駆動パルスの幅が制御されることを特徴とする。
【００４０】
本発明は更に、このような表示装置におけるガンマ補正の方法にも関する。
【００４１】
上述の実施例は、本発明を説明するものであって制限するものではなく、当業者であれば添付の特許請求の範囲から逸脱することなく多くの代替の実施例を設計することができることに留意すべきである。特許請求の範囲において、括弧内に示されている参照符号は請求項を制限するものとして解釈されるべきではない。「有する、含む」という語は、請求項に挙げられたもの以外の構成要素又はステップの存在を排除しない。単数で表現されている構成要素は、そのような構成要素の複数の存在を排除しない。本発明は、いくつかの個々の素子を有するハードウェア及び適切にプログラムされたコンピュータによって実現されることができる。いくつかの手段を列挙している装置の請求項において、これらの手段のいくつかは、同じ１つのハードウェアアイテムにより具体化されることができる。互いに異なる従属項に特定の方策が挙げられているという単なる事実は、これらの方策の組み合わせが有利に使用されることができないことを示していない。
【図面の簡単な説明】
【００４２】
【図１】本発明の方法を実現する本発明の表示装置用のガンマ補正回路のブロック図。
【図２】図１の回路用のグレースケールデータのテーブル。
【図３】パルス分布変調された信号の一部（Ａ）と、結果的に生成される駆動パルス（Ｂ）との一例を示すタイミング図。
【図４】図３に示す例について、図２に示すようなグレースケールデータの選択された１つに関するパルスカウンタＣＮＴ２、グレーレベル比較器及びセット／リセットフリップフロップの値を示すテーブル。
【国際公開パンフレット】
2004537762.tif 000003
2004537762.tif 000004
2004537762.tif 000005
2004537762.tif 000006
2004537762.tif 000007
2004537762.tif 000008
2004537762.tif 000009
2004537762.tif 000010
2004537762.tif 000011
2004537762.tif 000012
2004537762.tif 000013
2004537762.tif 000014
2004537762.tif 000015
2004537762.tif 000016
2004537762.tif 000017
2004537762.tif 000018
【国際公開パンフレット（コレクトバージョン）】
2004537762.tif 000019
【国際調査報告】
2004537762.tif 000020
2004537762.tif 000021